(57)【要約】【課題】丸形圧着端子の端子圧着作業を簡便化し、また端子圧着工数を大幅削減することのできる端子台を提供する。【解決手段】端子台１は、下側導電部５１と上側導電部５２と貫通穴６と固定棒５４２とシャッター５３を備える。下側導電部５１は端子固定箇所５を繋ぎ、上側導電部５２は下側導電部５１の表面と隙間を設けて上方で対向する部材であり、貫通穴６は上側導電部５２に設けられて下側導電部５１に向かい、固定棒５４２は貫通穴６をスライド可能に挿通され、シャッター５３は、上側導電部５２と下側導電部５１の隙間に設けられる。丸形圧着端子１００を隙間に挿入すると、シャッター５３が押し込まれて貫通穴６が開通し、固定棒５４２が貫通穴６内を落ちて、丸形圧着端子１００のリングに嵌め込まれる。【選択図】図１
2017111911.tif 000002
【特許請求の範囲】
【請求項１】
端子固定箇所を繋ぐ導電部と、
前記導電部の表面と隙間を設けて上方で対向する部材と、
前記部材に設けられ、前記導電部に向かう貫通穴と、
前記貫通穴に沿ってスライド可能に挿通され、前記端子を固定するための固定棒と、
前記隙間に設けられ、外力により前記貫通穴の軸線上の軸線位置と前記貫通穴から離れた離間位置とに移動可能なシャッターと、
を備え、
リングを有する端子を前記隙間に挿入すると、当該端子により前記シャッターが前記軸線位置から前記離間位置に押し込まれて前記貫通穴が開通し、
前記固定棒が前記貫通穴内を落ちて、前記リングに嵌め込まれること、
を特徴とする端子台。
【請求項２】
前記端子台のカバーと、
前記カバーへ没入及び前記カバーから露出自在の固定完了通知マークと、
前記貫通穴内を落ちた前記固定棒の移動に応答し、前記固定完了通知マークを前記カバーから露出させる伝達機構と、
を備えること、
を特徴とする請求項１記載の端子台。
【請求項３】
前記カバーは、
前記部材を覆って上方に設けられ、
前記貫通穴は、
前記カバー、前記部材及び前記導電部を一直線に貫通して形成され、
前記端子台は、
前記カバーから飛び出したツマミと当該ツマミに繋がる前記固定棒とを有するボタンと、
前記固定棒の根元に形成されるネジ山と、
前記カバーの前記貫通穴内周面に形成されるネジ溝と、
を更に備え、
ユーザが前記ツマミを摘んで前記ボタンを捻ることで、前記ネジ山と前記ネジ溝との螺合に伴って前記固定棒が落ちた状態から更に進行し、
前記伝達機構が当該螺合に伴う前記固定棒の進行に応答して、前記固定完了通知マークを前記露出位置に移動させること、
を特徴とする請求項２記載の端子台。
【請求項４】
前記伝達機構は、
ロッドとジョイントの組み合わせで成り、
前記貫通穴の軸線上、且つ前記導電部の下方に位置する受け皿と、
前記受け皿を一端部に有し、前記固定完了通知マークを他端部に有し、
前記螺合により進行する前記固定棒の下端部により前記受け皿が押し下げられると、前記ロッドとジョイントの組み合わせにより前記固定完了通知マークが移動し、前記固定完了通知マークが前記カバーから露出すること、
を特徴とする請求項３記載の端子台。
【請求項５】
前記部材の上方に設けられ、前記部材とともに前記貫通穴により貫かれたカバーと、
前記カバーから飛び出したツマミと当該ツマミに繋がる前記固定棒とを有するボタンと、
前記固定棒の根元に形成されるネジ山と、
前記カバーの前記貫通穴内周面に形成されるネジ溝と、
を更に備え、
ユーザが前記ツマミを摘んで前記ボタンを捻ることで、前記ネジ山と前記ネジ溝とが螺合し、前記貫通穴を落ちた前記固定棒の位置が固定されること、
を特徴とする請求項１記載の端子台。
【請求項６】
前記部材は、上下動自在に設けられ、
前記端子台は、
前記部材の上方に設けられるカバーと、
前記カバーの下面と前記部材の上面との間に設けられ、前記隙間を狭める方向に前記部材を付勢する圧縮バネと、
を更に備え、
前記端子は、前記部材を押しのけて前記隙間に差し入れられ、
前記部材は、前記圧縮バネの付勢により前記端子を前記導電部に押し付けること、
を特徴とする請求項１記載の端子台。
【請求項７】
前記貫通穴は、
前記カバー、前記部材及び前記導電部を一直線に貫通して形成され、
前記端子台は、
前記カバーから飛び出したツマミと当該ツマミに繋がる前記固定棒とを有するボタンと、
前記固定棒から拡がり、前記カバーと前記部材との間の隙間に延在するフランジと、
前記固定棒の根元に形成されるネジ山と、
前記カバーの前記貫通穴内周面に形成されるネジ溝と、
を更に備え、
ユーザが前記ツマミを摘んで前記ボタンを捻ることで、前記ネジ山と前記ネジ溝との螺合に伴って前記固定棒が更に進行し、前記フランジが前記部材の上面を押圧し、前記部材が前記フランジの押圧により前記端子を前記導電部に押し付けること、
を特徴とする請求項６記載の端子台。
【請求項８】
前記部材は、導電体であること、
を特徴とする請求項６又は７記載の端子台。
【請求項９】
前記部材は、前記導電部と共に形成する前記隙間入り口に、前記隙間内部へ向かう斜面により成る押し当て面を有し、
前記端子の固定時又は導通試験時に、前記端子又はテスタープローブが前記押し当て面に押し付けられること、
を特徴とする請求項１乃至８の何れかに記載の端子台。
【発明の詳細な説明】
【技術分野】
【０００１】
本発明の実施形態は、端子を締め付けて配線を接続する端子台に関する。
【背景技術】
【０００２】
スイッチギヤ及び監視制御盤等の受変電設備や中央監視設備において、機器同士を接続するために端子台が用いられる。端子台は、導通するペアの端子固定箇所に機器から延びる配線の先端に備える端子をそれぞれ固定することで、機器同士を電気的に接続する。端子が丸形圧着端子の場合、最も一般的にはネジアップ端子台、セルフアップ端子台及びネジ式ボックス端子台を挙げることができる。
【０００３】
このような丸形圧着端子を接続するための端子台は、端子固定箇所を橋渡しする導電板にネジを螺合して構成される。丸形圧着端子を接続する際は、ネジを緩め、ネジを丸形圧着端子のリングに挿通し、再びネジを締める必要がある。端子台購入当初はネジが予め持ち上がっている端子台も存在するが、少なくとも丸形圧着端子のリングへのネジの挿通作業及びネジ締め作業は必要である。
【０００４】
スイッチギヤや監視制御盤等の大掛かりな受変電設備や中央監視設備となると、機器数は多大であり、端子台へは膨大な数の丸形圧着端子を固定する作業が必要となる。そうすると、端子の一つ一つに対し、ネジを緩め、ネジを丸形圧着端子のリングに挿通し、再びネジを締める作業を適用すると、その労力は甚大である。また、この労力はスイッチギヤや監視制御盤等の受変電設備や中央監視設備のコストを上昇させる。この労力は、機器の交換時にも発生するため、交換時間が長大化し、機器の稼働率も低下する。
【先行技術文献】
【特許文献】
【０００５】
【特許文献１】特開２０１４−０２２０６６号公報
【発明の概要】
【発明が解決しようとする課題】
【０００６】
本実施形態は、上述のような課題に対し、丸形圧着端子の端子圧着作業を簡便化し、また端子圧着工数を大幅削減することのできる端子台を提供することを目的とする。
【課題を解決するための手段】
【０００７】
上記の目的を達成するために、本実施形態の端子台は、端子固定箇所を繋ぐ導電部と、前記導電部の表面と隙間を設けて上方で対向する部材と、前記部材に設けられ、前記導電部に向かう貫通穴と、前記貫通穴に沿ってスライド可能に挿通され、前記端子を固定するための固定棒と、前記隙間に設けられ、外力により前記貫通穴の軸線上の軸線位置と前記貫通穴から離れた離間位置とに移動可能なシャッターと、を備え、リングを有する端子を前記隙間に挿入すると、当該端子により前記シャッターが前記軸線位置から前記離間位置に押し込まれて前記貫通穴が開通し、前記固定棒が前記貫通穴内を落ちて、前記リングに嵌め込まれること、を特徴とする。
【図面の簡単な説明】
【０００８】
【図１】本実施形態に係る端子台の幅方向に沿った断面図である。
【図２】本実施形態に係る端子台に丸形圧着端子を差し込む前の状態を示す図である。
【図３】本実施形態に係る端子台に丸形圧着端子が差し込まれた状態を示す断面図である。
【図４】本実施形態に係る端子台に丸形圧着端子が差し込まれた後、押込式ツマミボタンをカバーに固定した状態を示す断面図である。
【図５】本実施形態に係る端子台に丸形圧着端子が固定された後、導通をテストする状態を示す断面図である。
【発明を実施するための形態】
【０００９】
（本実施形態）
以下、本実施形態に係る端子台について図面を参照しつつ詳細に説明する。図１は、端子台の幅方向に沿った断面図である。図２は、端子台に丸形圧着端子を差し込む前の状態を示す図である。図３は、端子台に丸形圧着端子が差し込まれた状態を示す断面図である。図４は、端子台に丸形圧着端子が差し込まれた後、押込式ツマミボタンをカバーに固定した状態を示す断面図である。図５は、端子台に丸形圧着端子が固定された後、導通をテストする状態を示す断面図である。
【００１０】
（構造）
図１に示す端子台１は、スイッチギヤ及び監視制御盤等の受変電設備や中央監視設備内に設置される。図１は、端子台１の幅方向に沿った断面図であるが、この端子台１は、全体として細長い直方体形状を有し、長手方向に２列の端子固定箇所５が並ぶ。幅方向においてペアの端子固定箇所５が対面する。ペアの端子固定箇所５は下側導電部５１により橋渡しされている。機器から延びる配線先端の丸形圧着端子１００がペアの端子固定箇所５に固定されることで、端子台１は下側導電部５１を介して配線同士を電気的に接続させる。
【００１１】
以下、片側の端子固定箇所５の構造について更に詳細に説明するが、ペアの端子固定箇所５は端子台１の幅方向中心を境に対称構造になっているものである。まず、図１に示すように、端子台１は、樹脂等の絶縁材により成るベース２と支柱３とカバー４とにより筐体が構成される。ベース２は中空部２１を有する。
【００１２】
支柱３はベース２の幅方向中心に立設され、カバー４は支柱３の上縁面に固定される。この筐体は全体としてアルファベットＨを横倒しにした形状を有する。ベース２は端子固定箇所５の土台である。カバー４の上面には配線を識別する銘板４１が設置される。支柱３はベース２とカバー４の間に端子固定箇所５の構造物を設置するスペースを形成する。
【００１３】
下側導電部５１はベース２の上面に貼着されている。この下側導電部５１は、一対の端子固定箇所５を繋ぐように、ベース２の幅と同等の長さを有する薄板である。支柱３は、この下側導電部５１の上に立設されている。すなわち、支柱３によって下側導電部５１は途中で断絶しない。
【００１４】
下側導電部５１の上方及びカバー４の下方には、上側導電部５２が配置されている。この上側導電部５２は、下側導電部５１の上面と隙間を設け、またカバー４の下面と隙間を設けて設置される。上側導電部５２の片脇は支柱３に沿ってガイドされ、幅方向はベース２の端まで延びる。対向する端子固定箇所５の各上側導電部５２は別部材であり、電気的に接続されていない。
【００１５】
この上側導電部５２は、下側導電部５１と共に形成する隙間入口部分に、下側導電部５１の端よりも隙間内部へ向かう斜面により成る押し当て面５２１を有する。すなわち、上側導電部５２は下底が上底よりも短い台形状の断面を有し、斜面が押し当て面５２１である。このため、上側導電部５２の下方縁辺は、下側導電部５１の端よりも内側に入り込んでおり、上側導電部５２と下側導電部５１との隙間入り口は、内側に向かってテーパ状に窄まった形状となる。
【００１６】
上側導電部５２と下側導電部５１との間の隙間には、薄板状のシャッター５３が延在している。シャッター５３は、丸形圧着端子１００と同じ厚み若しくは若干薄い。シャッター５３は、下側導電部５１の上面をスライド可能となっている。上側導電部５２は、このシャッター５３に支えられている。換言すると、上側導電部５２と下側導電部５１の隙間はシャッター５３により形成される。シャッター５３と支柱３との間には、ベース２の幅方向に延びる圧縮バネ５３１が配置される。圧縮バネ５３１の一端は支柱３に固定され、圧縮バネ５３１の他端はシャッター５３に固定される。この圧縮バネ５３１は、シャッター５３を隙間の入口方向に付勢している。
【００１７】
カバー４の下面と上側導電部５２の上面との間の隙間には、圧縮バネ５２２が配置されている。圧縮バネ５２２の一端はカバー４の下面に固定され、圧縮バネ５２２の他端は上側導電部５２の上面に固定されている。この圧縮バネ５２２は、上側導電部５２と下側導電部５１との隙間を狭める方向に、上側導電部５２を付勢している。
【００１８】
更に、端子台１には端子固定箇所５に一本の貫通穴６が穿設されている。貫通穴６は、直管で、カバー４、上側導電部５２及び下側導電部５１を貫通し、ベース２の上面に開口を形成し、ベース２の中空部２１に連通する。シャッター５３は、圧縮バネ５３１の自由長において貫通穴６の軸線上に介在している。この貫通穴６には、押込式ツマミボタン５４が挿通している。
【００１９】
押込式ツマミボタン５４は、カバー４の上面に露出したツマミ５４１と、ツマミ５４１から延びて貫通穴６に差し込まれた固定棒５４２により成る。ツマミ５４１はユーザが指で把持しやすいように、固定棒５４２よりも大径の円柱体となっている。固定棒５４２は、丸形圧着端子１００のリング内径と同一又は若干小さい径を有する。また、固定棒５４２は、カバー４上面からベース２の中空部２１に差し込み可能な長さを有する。但し、圧縮バネ５３１が自由長の状態では、押込式ツマミボタン５４は下端部でシャッター５３に接触し、下降が規制されている。
【００２０】
固定棒５４２の根元には、固定棒５４２の周面に沿って螺旋状のネジ山５４３が形成されている。一方、カバー４の下面開口縁には、ネジ山５４３と螺合可能なネジ溝４２が穿設されている。また、固定棒５４２の途中には、フランジ５４４が拡がっている。フランジ５４４は、カバー４と上側導電部５２との間の隙間に、貫通穴６よりも拡径されて延在する。尚、固定棒５４２は途中から下端までが膨らんで大径となっている。貫通穴６は、この固定棒５４２に合わせた形状を有し、途中から下端まで大径穴となっている。押込式ツマミボタン５４が端子台１から抜けてしまうことを防止するためである。
【００２１】
また、端子台１は伝達機構５５を有する。伝達機構５５は、逆Ｌ字状に連結した二本の横ロッド５５１と縦ロッド５５２により成り、互いに突き合わされた一端がジョイント５５３で接続されている。横ロッド５５１は上下に傾きが変化自在に移動可能となっている。縦ロッド５５２は上下に軸線に沿って移動自在に取り付けられている。
【００２２】
すなわち、横ロッド５５１は、ベース２の中空部２１に端子台１の幅方向に沿って横倒しに設置されている。この横ロッド５５１は一端に受け皿５５４を固定している。受け皿５５４は、貫通穴６の軸線上に配置され、シャッター５３を介して押込式ツマミボタン５４の下端部と対面する。横ロッド５５１の他端は、支柱３の直下まで延設される。受け皿５５４の設置高さは、ツマミ５４１の下端がカバー４の上面に接触した状態で、固定棒５４２の下端部よりも高い。すなわち、押込式ツマミボタン５４が最低点まで下降すると、受け皿５５４は固定棒５４２の下端部により押し下げられるようになっている。
【００２３】
また、支柱３の内部には、カバー４の上面に開口を有するスライド穴３１が垂直に立ち上るように穿設されている。縦ロッド５５２は、このスライド穴３１に挿通されている。縦ロッド５５２の上端部は拡径されて固定完了通知マーク５５５になっている。固定完了通知マーク５５５は、ユーザに認識され易い装飾である。例えば、固定完了通知マーク５５５は赤色に塗装されている。縦ロッド５５２と横ロッド５５１とが直角の状態では、固定完了通知マーク５５５は、カバー４の上面と面一若しくはカバー４に埋没している。縦ロッド５５２と横ロッド５５１とが直角の状態は、押込式ツマミボタン５４の固定棒５４２の下端部が受け皿５５４を押し下げていない状態の一例である。
【００２４】
（作用）
この端子台１の使用方法を説明する。図２に示すように、ユーザは、丸形圧着端子１００を押し当て面５２１に押し付ける。丸形圧着端子１００は、押し当て面５２１を滑って下側導電部５１の上面に当たり、上側導電部５２と下側導電部５１との間の隙間に誘導される。丸形圧着端子１００が下側導電部５１の上面に当たると、ユーザは、上側導電部５２と下側導電部５１との間の隙間に丸形圧着端子１００を差し込む。すなわち、上側導電部５２と下側導電部５１との間の隙間は、丸形圧着端子１００の差込口である。
【００２５】
図３に示すように、丸形圧着端子１００を差し込むと、丸形圧着端子１００の厚みによって圧縮バネ５２２が負け、上側導電部５２が上方に持ち上がり、丸形圧着端子１００が端子台１の内部まで挿入可能となる。このとき、圧縮バネ５２２の付勢力により、丸形圧着端子１００は上側導電部５２と下側導電部５１に押し挟まれる。丸形圧着端子１００を支柱３側に向けて差し込んでいくと、丸形圧着端子１００はシャッター５３に接触する。
【００２６】
ユーザは、シャッター５３を支柱３側に押し込むように、丸形圧着端子１００を差し込んでいく。圧縮バネ５３１は、丸形圧着端子１００の進入力に負けて収縮していく。やがて、シャッター５３は、支柱３側に押し込まれることで、貫通穴６の軸線上にあって貫通穴６を遮断する遮断位置から、貫通穴６から離れた離間位置に移動し、貫通穴６が開通する。丸形圧着端子１００のリング穴と貫通穴６とが一致すると、シャッター５３による下降規制が解除されて押込式ツマミボタン５４が落ち、固定棒５４２が丸形圧着端子１００のリングに嵌入する。
【００２７】
図４に示すように、押込式ツマミボタン５４が落ち込んだ状態では、押込式ツマミボタン５４のネジ山５４３の下端がカバー４の下面開口縁のネジ溝４２の上端と一致する。ユーザが押込式ツマミボタン５４を捻じ込むと、押込式ツマミボタン５４がカバー４と螺合し、押込式ツマミボタン５４が固定される。ユーザの捩じ込みにより押込式ツマミボタン５４が更に下降すると、固定棒５４２から拡がるフランジ５４４は上側導電部５２に押し下げ圧力をかけ、上側導電部５２と下側導電部５１とによる丸形圧着端子１００の挟み込みが更に強固になる。
【００２８】
また、ユーザの捩じ込みにより押込式ツマミボタン５４が更に下降すると、固定棒５４２は下端部により受け皿５５４を押し下げる。受け皿５５４が下がると、横ロッド５５１のジョイント５５３側は反対に押し上がり、ジョイント５５３を介して縦ロッド５５２はジョイント５５３を介して上方に持ち上がる。
【００２９】
そうすると、縦ロッド５５２の上端部に膨出する固定完了通知マーク５５５は、カバー４内に没入していた位置からカバー４から露出する位置に移動し、カバー４の上面から露出する。固定完了通知マーク５５５の露出により、ユーザは、丸形圧着端子１００と下側導電部５１とが強固に圧接されて導通し、また丸形圧着端子１００の抜け防止となる押込式ツマミボタン５４が不動となったことを理解できる。
【００３０】
ペアの端子固定箇所５に、以上のような丸形圧着端子１００の固定を施すことにより、互いの機器は、配線、丸形圧着端子１００及び下側導電部５１を介して電気的に接続される。導通試験の際は、図５に示すように、テスタープローブ２００を押し当て面５２１に沿わせる。テスタープローブ２００と丸形圧着端子１００とは上側導電部５２を介して電気的に接続され、導通試験が可能となる。
【００３１】
（効果）
以上のように、この端子台１は、下側導電部５１と上側導電部５２と貫通穴６と固定棒５４２とシャッター５３とを備えるようにした。下側導電部５１は、端子固定箇所５を繋ぐ導電体である。上側導電部５２は、下側導電部５１の表面と隙間を設けて上方で対向する部材である。貫通穴６は、少なくとも上側導電部５２に設けられ、下側導電部５１に向かう。固定棒５４２は、貫通穴６に沿ってスライド可能に挿通され、丸形圧着端子１００を固定する。シャッター５３は、上側導電部５２と下側導電部５１との間の隙間に設けられ、外力により貫通穴６の軸線上の軸線位置と前記貫通穴から離れた離間位置とに移動可能となっている。
【００３２】
そして、丸形圧着端子１００を隙間に挿入すると、丸形圧着端子１００によりシャッター５３が遮断位置から離間位置に押し込まれて貫通穴６が開通し、固定棒５４２が貫通穴６内を落ちて、丸形圧着端子１００のリングに嵌め込まれる。
【００３３】
これにより、丸形圧着端子１００を上側導電部５２と下側導電部５１との間の隙間に差し込むだけで、丸形圧着端子１００を端子台１に固定することができる。従って、従来は、ネジを外し、ネジを丸形圧着端子１００に挿通し、ネジを再び締めていた。この従来と比べ、飛躍的に端子圧着工数が少なくなり、労力が削減されるため、スイッチギヤや監視制御盤等の中央制御設備のコストを削減でき、また機器の交換時間も飛躍的に少なくなるため、装置の稼働率を向上させることができる。尚、端子圧着工数の削減を目的とする場合、上側導電部５２は、丸形圧着端子１００が差し込まれる隙間を形成する機能であるので、導電体ではなく絶縁体であってもよい。
【００３４】
また、従来は、ユーザの手作業であったので、締め付けの反力を感じることで丸形圧着端子１００の端子台１への接続が確認できた。しかしながら、この端子台１は丸形圧着端子１００を差し込むだけで接続が完了する。これに対し、この端子台１では、カバー４へ没入及びカバー４から露出自在の固定完了通知マーク５５５を配し、伝達機構５５により貫通穴６内を落ちた固定棒５４２の移動に応答し、固定完了通知マーク５５５をカバー４から露出させるようにした。これにより、ユーザの視覚により丸形圧着端子１００の端子台１への接続が確認でき、ユーザに不安を与えることを抑制できる。
【００３５】
この固定完了通知マーク５５５に係る機構に関し、カバー４は、上側導電部５２を覆って上方に設けられる。貫通穴６は、カバー４、上側導電部５２及び下側導電部５１を一直線に貫通して形成される。端子台１は、押込式ツマミボタン５４を有し、押込式ツマミボタン５４は、カバー４から飛び出したツマミ５４１と、ツマミ５４１に繋がる固定棒５４２とを有する。固定棒５４２の根元にはネジ山５４３が形成され、カバー４に形成された貫通穴６の内周面にはネジ溝４２が形成される。
【００３６】
そして、ユーザがツマミ５４１を摘んで押込式ツマミボタン５４を捻ることで、ネジ山５４３とネジ溝４２との螺合に伴って固定棒５４２が落ちた状態から更に進行し、伝達機構５５が螺合に伴う固定棒５４２の進行に応答して、固定完了通知マーク５５５を露出させるようにした。
【００３７】
これにより、ユーザの簡単な手作業を最後に設け、この手作業に応答して固定完了通知マーク５５５を表示させることができる。そのため、ユーザは自己の作業と共に丸形圧着端子１００の接続が確認できるため、ユーザの接続に対する不安を一層低減できる。また、伝達機構５５と固定完了通知マーク５５５以外の構成は、押込式ツマミボタン５４の抜け防止を実現し、接続に対する信頼性が向上する。
【００３８】
伝達機構５５の一例としては、横ロッド５５１と縦ロッド５５２とジョイント５５３の組み合わせで成り、貫通穴６の軸線上、且つ下側導電部５１の下方に位置する受け皿５５４を伝達機構５５の一端部に有し、固定完了通知マーク５５５を伝達機構５５の他端部に有するようにした。そして、螺合により進行する固定棒５４２の下端部により受け皿５５４が押し下げられると、横ロッド５５１と縦ロッド５５２とジョイント５５３の組み合わせにより固定完了通知マーク５５５が移動するようにすればよい。
【００３９】
また、上側導電部５２は上下動自在に設けられ、端子台１には、カバー４の下面と上側導電部５２の上面との間に圧縮バネ５２２を設け、上側導電部５２と下側導電部５１との間の隙間を狭める方向に上側導電部５２を付勢するようにした。丸形圧着端子１００が上側導電部５２を押しのけて隙間に差し入れられると、上側導電部５２は、圧縮バネ５２２の付勢により丸形圧着端子１００を下側導電部５１に押し付ける。これにより、丸形圧着端子１００と下側導電部５１とを確実に電気的に接触させることができ、端子台１に対する信頼が向上する。
【００４０】
更に、固定棒５４２にフランジ５４４が延設され、このフランジ５４４をカバー４と上側導電部５２との間の隙間に延在させるようにした。ユーザがツマミ５４１を摘んで押込式ツマミボタン５４を捻ることで、ネジ山５４３とネジ溝４２との螺合に伴って固定棒５４２が更に進行する。そうすると、フランジ５４４が上側導電部５２の上面を押圧し、上側導電部５２がフランジ５４４の押圧により丸形圧着端子１００を下側導電部５１に押し付ける。これにより、丸形圧着端子１００と下側導電部５１とを更に確実に電気的に接触させることができ、端子台１に対する信頼が更に向上する。
【００４１】
また、上側導電部５２が導電体であり、下側導電部５１と共に形成する隙間入り口に、隙間内部へ向かう斜面により成る押し当て面５２１を有するようにした。これにより、導通試験時には、押し当て面５２１にテスタープローブ２００を沿わせるだけでよく、簡便となる。また、押し当て面５２１が存在することにより、丸形圧着端子１００を押し当て面５２１に押し当てれば、下側導電部５１と上側導電部５２との間の隙間に誘導されるから、丸形圧着端子１００の接続作業が更に簡便となる。
【００４２】
（その他の実施形態）
本明細書においては、本発明に係る実施形態を説明したが、この実施形態は例として提示したものであって、発明の範囲を限定することを意図していない。以上のような実施形態は、その他の様々な形態で実施されることが可能であり、発明の範囲を逸脱しない範囲で、種々の省略や置き換え、変更を行うことができる。実施形態やその変形は、発明の範囲や要旨に含まれると同様に、特許請求の範囲に記載された発明とその均等の範囲に含まれるものである。
【符号の説明】
【００４３】
１  端子台
２  ベース
２１  中空部
３  支柱
３１  スライド穴
４  カバー
４１  銘板
４２  ネジ溝
５  端子固定箇所
５１  下側導電部
５２  上側導電部
５２１  押し当て面
５２２  圧縮バネ
５３  シャッター
５３１  圧縮バネ
５４  押込式ツマミボタン
５４１  ツマミ
５４２  固定棒
５４３  ネジ山
５４４  フランジ
５５  伝達機構
５５１  横ロッド
５５２  縦ロッド
５５３  ジョイント
５５４  受け皿
５５５  固定完了通知マーク
６  貫通穴
１００  丸形圧着端子
２００  テスタープローブ
【図１】
2017111911.tif 000003
【図２】
2017111911.tif 000004
【図３】
2017111911.tif 000005
【図４】
2017111911.tif 000006
【図５】
2017111911.tif 000007